(57)【要約】【課題】保護窓ガラスとタッチパネルガラスとを一体化したＬＣＤモジュールを有する携帯型電子機器において、ＬＣＤパネルへの部分的な負荷による表示ムラを回避しつつ、落下衝撃でＬＣＤパネルが筺体から外れないような携帯型電子機器を提案する。【解決手段】撮像情報を表示させる表示手段と、前記表示手段を保護する保護手段を有し、前記表示手段と前記保護手段が一体化された画像表示ユニットを備えた携帯型電子機器において、前記保護手段と前記表示手段の間に、撮像情報の観察面側から前記表示手段を覆うように配置された枠体と、前記表示手段を背面側から受けた受け部材を有し、前記枠体は、撮像情報の表示を露出する開口部と、前記開口部の近傍にあって前記表示手段と当接する当接部と、複数の孔部を有し、前記受け部材には前記孔部から突出した突出部が設けられ、前記突出部を筺体カバーで弾性部材を介して押さえたことを特徴とした。【選択図】  図１
2015022005.tif 000002
【特許請求の範囲】
【請求項１】
撮像情報を表示させる表示手段（９）と、前記表示手段（９）を保護する保護手段（７）を有し、前記表示手段（９）と前記保護手段（７）が一体化された画像表示ユニット（１７）を備えた携帯型電子機器において、画像表示ユニット（１７）内部構造物を保護する筺体カバー（４）を有し、
前記保護手段（７）と前記表示手段（９）の間に、撮像情報の観察面側から前記表示手段（９）を覆うように配置された枠体（１３）と、前記表示手段（９）を背面側から受けた受け部材（１２）を有し、
前記枠体（１３）は、撮像情報の表示を露出する開口部（１３ａ）と、前記開口部（１３ａ）の近傍にあって前記表示手段（９）と当接する当接部（１３ｃ）と、複数の孔部（１３ｄ）を有し、
前記画像表示ユニット（１７）を受け、かつ筺体カバー（４）と締結された保持部材（１５）を有し、
前記受け部材（１２）に前記孔部（１３ｄ）から突出した突出部（１２ａ）を設け、前記突出部（１２ａ）を筺体カバー（４）で弾性部材（１６）を介して押さえられていることを特徴とする携帯型電子機器。
【請求項２】
前記画像表示ユニット（１７）は前記保護手段（７）と前記表示手段（９）の間には、接触位置を検出する位置検出手段（８）を有し、前記保護手段（７）の外形は前記表示手段（９）の外形より大きく、前記枠体（１３）の前記開口部（１３ａ）は前記表示手段（９）の外形より小さく、かつ、前記位置検出手段（８）の外形より大きいことを特徴とする請求項１に記載の携帯型電子機器。
【発明の詳細な説明】
【技術分野】
【０００１】
本発明は、画像表示手段を有する携帯型電子機器に関するものである。
【背景技術】
【０００２】
デジタルカメラなどの電子機器に用いられる画像情報の表示手段として、液晶表示デバイス（以下ＬＣＤ）を用いた表示手段が広く普及している。ＬＣＤのユニット部品であるＬＣＤモジュールは、主に、液晶状態の物質が封入された２枚ガラスのＬＣＤパネルと、一方から光を透過させるためのバックライト部と、ＬＣＤパネルやバックライト部を保持する樹脂ホルダーや板金によって構成されている。ＬＣＤパネルには画像表示用の信号を送り出すコントローラドライバーＩＣなどが搭載されており、画像処理を行う制御基板へ電気信号をつなぐフレキ基板が取り付けられている。
【０００３】
近年、使用者が表示画面を指などで直接指示可能なタッチパネル機能追加などにより、保護窓ガラスとタッチパネル機能を有するタッチパネルガラスを一体化したＬＣＤモジュールが広く使用されつつある。しかし、保護窓ガラス、タッチパネルガラス、ＬＣＤパネルを接着し一体化することで、その一体化した部分の重量が重くなってしまう為、固定が十分でなければ、落下による衝撃でそのガラスの一体部が筺体カバーの開口部から飛び出し、破損してしまうという問題が発生する。
【０００４】
保護窓ガラス、タッチパネルガラスが一体化したＬＣＤモジュールの取り付け構造の従来例について図４を用いて説明する。図１０はカメラ本体背面図とその断面図である。
【０００５】
図４の（ａ）はカメラ本体の背面図であり、（ｂ）はＢ−Ｂ断面図である。
【０００６】
３１はカメラ本体で、３２は筺体カバーで、３３はＬＣＤモジュールの一部である保護窓ガラスである。３４はタッチパネルガラスで、３５はＬＣＤパネルであり、それぞれカメラ本体１の電気制御基板に結合するフレキ基板が結合されている。４０はガラス部結合体で、保護窓ガラス３３、タッチパネルガラス３４、ＬＣＤパネル３５が接着により一体化されて構成されている。３６はバックライトの導光部で、拡散シート、導光板、反射シートなどで構成されている。３７は受け部材で、ＬＣＤパネル３５を受けている。３８ａ、３８ｂは両面テープであり、３８ａは受け部材３７とＬＣＤパネル３５とを、３８ｂは保護窓ガラス３３とを接着している。３９はリアベゼルで、受け部材３７と締結され、導光部３６を保持している。４１は弾性部材で、筺体カバー３２に貼りつけられており、受け部材３７に付勢することでＬＣＤモジュールの浮きやガタつきを防止している。
【０００７】
ＬＣＤの表示エリアに対し全領域でタッチ操作を可能とするために、タッチパネル３４の外形は、ＬＣＤパネル３５の外形に比べてわずかに小さいか、それより大きくとる必要がある。一方、保護窓ガラス３３の外形は、タッチパネルガラス３４全体を覆って保護するする必要があると共に、外観品位を損なわない為に保護窓ガラス３３の裏面には外形周辺に枠状の黒印刷などを施し、タッチパネルガラス３３やＬＣＤパネル３５の端部など内部構造物を隠す必要がある為、タッチパネルガラス３４やＬＣＤパネル３５に比べて通常大きくなる。一方、筺体カバー３２は、保護窓ガラス３３の外形と若干の隙間を持って開口されており、筺体カバー３２の開口の大きさは、保護窓ガラス３３の外形とほぼ等しい為、落下時の衝撃でＬＣＤパネル３５が飛び出そうする挙動に対し、筺体カバー３２でＬＣＤパネル３５を押さえることができず、ＬＣＤモジュールの破損が発生してしまう。仮に、ＬＣＤの表示エリアの大きさは変えずに、ＬＣＤパネル３５の外形だけ保護窓ガラス３５の外形より大きくした場合、ＬＣＤパネル３５の材料単価は高価であるため大幅なコストアップになってしまい、かつ、カメラ本体が大型化する要因になってしまう。
【０００８】
図４のように従来例では、上記問題を解決するために、ＬＣＤパネル３５を受け部材３７に両面テープ３８ａ、３８ｂで接着固定している。しかし、両面テープ３８ａの貼り付け面積を十分にとることはカメラ本体の大型化につながるため、両面テープ３８ｂを追加して２段の両面テープでガラス部結合体４０の保持の強化を行っている。しかし、その保持力は両面テープ３８ａ、３８ｂの接着強度に依存する構造となっており、より品質を安定させることや実力向上ができる手段が望まれていた。
【０００９】
また、ＬＣＤパネル３５に部分的な負荷が掛ると表示ムラが発生してしまうため、ＬＣＤパネルへ３５への部分的な負荷を回避しつつ、落下によるＬＣＤパネル３５の外れ防止構造を取る必要がある。
【００１０】
特許文献１では、保護窓にフランジを設けて、筺体カバーで押さえることで、ＬＣＤへの負荷を回避して表示ムラの発生を防止しつつ、ＬＣＤモジュールの外れを防止する構造となっているが、フランジ分保護窓が厚くなるなどカメラ本体が大型化してしまう。また、保護窓が表面の傷つき防止などを目的としてガラス部材を使用した場合は、ガラス部材は板材からの加工となるため、フランジ形状の切削加工の追加が必要となり、コストアップになる。
【先行技術文献】
【特許文献】
【００１１】
【特許文献１】特開２００８−１９３１５８号公報
【発明の概要】
【発明が解決しようとする課題】
【００１２】
保護窓ガラスとタッチパネルガラスとを一体化したＬＣＤモジュールを有する撮像装置において、ＬＣＤパネルへの部分的な負荷による表示ムラを回避しつつ、落下衝撃でＬＣＤパネルが筺体から外れないような携帯型電子機器を提案する。
【課題を解決するための手段】
【００１３】
上記目的を達成するために、本発明は、撮像情報を表示させる表示手段と、前記表示手段を保護する保護手段を有し、前記表示手段と前記保護手段が一体化された画像表示ユニットを備えた携帯型電子機器において、前記保護手段と前記表示手段の間に、撮像情報の観察面側から前記表示手段を覆うように配置された枠体と、前記表示手段を背面側から受けた受け部材を有し、前記枠体は、撮像情報の表示を露出する開口部と、前記開口部の近傍にあって前記表示手段と当接する当接部と、複数の孔部を有し、前記受け部材に前記孔部から突出した突出部を設け、前記突出部を筺体カバーで弾性部材を介して押さえるようにした。
【発明の効果】
【００１４】
本発明によれば、ＬＣＤモジュールの部分的な負荷による表示ムラの発生を回避しつつ、落下によるガラス部の外れを防止することが可能である。
【図面の簡単な説明】
【００１５】
【図１】ＬＣＤの取り付け状態を示す拡大断面図
【図２】カメラ本体の図であって、（ａ）は正面図、（ｂ）は背面図
【図３（ａ）】ＬＣＤモジュールの全体図
【図３（ｂ）】ＬＣＤモジュールの分解図
【図３（ｃ）】ＬＣＤ突出部周辺の拡大図
【図４】カメラ本体背面図とその断面図であって、（ａ）はカメラ本体の背面図、（ｂ）はＢ−Ｂ断面図
【発明を実施するための形態】
【００１６】
以下に、本発明の好ましい実施の形態を、添付の図面に基づいて詳細に説明する。図１は、本発明の実施形態に関わるＬＣＤの取り付け状態を示す拡大断面図である。
【実施例１】
【００１７】
以下、図１〜３を参照して、本発明の第１の実施例によるＬＣＤモジュールの保持構造について説明する。
【００１８】
図２はカメラ本体の図であり、（ａ）は正面図、（ｂ）は背面図である。
【００１９】
１はカメラ本体であり、２は撮影画像を得る為のレンズ部で、３ａは操作されることによって撮影を開始するシャッターボタンで、３ｂはカメラの動作モードを切り替える為のモードダイヤルであり、５は撮影に関する各種設定や画像表示内容の変更などを入力する為の操作部材である。４は内部構造物を保護する筺体カバーであり、２２は画像情報を表示させる為の画像表示部である。
【００２０】
図３はＬＣＤモジュールの図であり、画像表示部を含む部品のユニットを示している。（ａ）はＬＣＤモジュール全体図であり、カメラ本体１から筺体カバー４を外すと露出する。（ｂ）ＬＣＤモジュールの分解図である。（ｃ）は突出部周辺の拡大図である。（突出部の説明については後述する）このように、本実施例ではＬＣＤモジュール１７は、保護窓ガラス７、タッチパネルガラス８、フロントベゼル１３、ＬＣＤパネル９、導光部１１、バックライト部２１、受け部材１２、リアベゼル１４によって構成されている。
【００２１】
これらの部品の構成については、図２（ｂ）を参照して説明する。
【００２２】
７は画像表示部を保護している保護窓ガラスである。８はユーザーの指が触れた位置を検知するタッチパネルで、タッチパネルフレキ１８が接続されている。９は画像情報を表示するＬＣＤパネルであり、内部に図示しない電気回路が形成されていて、その回路にＬＣＤフレキ１９が接続されている。保護窓ガラス７とタッチパネル８とＬＣＤパネル９は接着により一体化されている。１３はフロントベゼルで、枠形状をしており、開口部１３ａを有している。開口部１３ａはタッチパネルガラス８の外形より大きく、ＬＣＤパネル９の外形より小さく、フロントベゼル１３は、保護窓ガラス７とＬＣＤパネル９の間に挟まれた形で取り付けられている（詳細は図１を用いて後述する）。１１は導光部で拡散シート、導光板、反射シートで構成されており、２１はバックライトであり、フレキ基板にＬＥＤが実装されている（不図示）。バックライト２１の光が導光部１１を通ってＬＣＤパネル９へと反射し、ＬＣＤパネル９を通過する。そして、前記図示しない電気回路に印加する電圧を変化させることによって液晶分子の向きが変えられ、ＬＣＤパネル９を通過する光の透過率を増減させることで、画像がＬＣＤパネル９に表示されるようになっている。
【００２３】
１２は受け部材でＬＣＤパネル９や導光部１１を受けており、またフロントベゼル１３と締結されている。１４はリアベゼルで、受け部材１２と締結されている。
【００２４】
また、図３（ｃ）で示すように、１２ａは受け部材１２の一部である突出部であり、突出部１２ａはフロントベゼル１３に設けられた孔部１３ｄから突出している。突出部１２ａは保護窓ガラス７の四隅の近傍に配置されている。
【００２５】
図１はＬＣＤの取り付け状態を示す拡大断面図であり、図２（ｂ）に記載のＡ−Ａ断面で、突出部１２ａでの断面を示している。１０はガラス部結合体で、保護窓ガラス７、タッチパネルガラス８、ＬＣＤパネル９を接着している。保護窓ガラス７、タッチパネルガラス８、ＬＣＤパネル９を接着し一体化することで、指の接触面である保護窓ガラス７の表面と位置検知するタッチパネル８との位置や距離が安定するため、タッチ操作の検出精度を向上させることができ、また各ガラス間へのゴミの侵入を防ぐことができる為、外観品質を安定させることができる。また、各パネルの反射を抑えることで視認性も良好となる。しかし、質量の重いガラスが一体化されていることで、タッチパネル９や保護窓ガラス７が一体になっていないものに比べて落下時の衝撃も大きくなる。
【００２６】
１５はメインシャーシで、ＬＣＤモジュール１７を受けている。メインシャーシ１５は、不図示の位置で筺体カバー４に締結されている。１６は弾性部材で、筺体カバー４と受け部材１２の突出部１２ａで狭持されており、弾性部材１６の付勢力でＬＣＤモジュール１７の浮きやガタつきを防止している。
【００２７】
１３ｃはＬＣＤパネル９との当接部である。落下衝撃によりガラス部結合体１０が筺体カバー４の開口部から外に飛び出そうする挙動が発生した際には、フロントベゼル１３の当接部１３ｃに負荷が掛ることになるが、フロントベゼル１３は受け部材１２に締結されており、受け部材１２は上述したように弾性部材１６を介して筺体カバー４に押さえられているため、ガラス部結合体１０が筺体カバー４から飛び出すことはない。
【００２８】
また、ＬＣＤモジュール１７の浮きやガタつきを押さえる際に、もしフロントベゼル１３に負荷が掛っていると、当接部１３ｃを介してＬＣＤガラス９に負荷が伝わり、ＬＣＤの表示ムラが発生してしまう。しかし、本実施例のように、フロントベゼル１３に孔部１３ｄを設けて、その孔部１３ｄから受け部材１２を突出させて、弾性部材１６を介して筺体カバー４によって受け部材１２を押さえることで、弾性部材１６で付勢された受け部材１２はリアベゼル１４を介して、メインシャーシ１５によって支えられるため、ＬＣＤガラス９に負荷を掛けずにＬＣＤモジュール１７の浮きやガタつきを押さえることができる。
【符号の説明】
【００２９】
１‥‥‥カメラ本体
２‥‥‥レンズ部
３ａ‥‥‥シャッターボタン
４‥‥‥筺体カバー
５‥‥‥操作部材
７‥‥‥保護窓ガラス
８‥‥‥タッチパネルガラス
９‥‥‥ＬＣＤパネル
１０‥‥‥ガラス部結合体
１２‥‥‥受け部材
１２ａ‥‥‥突出部
１３‥‥‥フロントベゼル
１３ｃ‥‥‥当接部
１３ｄ‥‥‥孔部
１５‥‥‥メインシャーシ
１６‥‥‥弾性部材
１７‥‥‥ＬＣＤモジュール
【図１】
2015022005.tif 000003
【図２】
2015022005.tif 000004
【図３（ａ）】
2015022005.tif 000005
【図３（ｂ）】
2015022005.tif 000006
【図３（ｃ）】
2015022005.tif 000007
【図４】
2015022005.tif 000008